(57)【要約】【課題】便所に使用者が入ったことを検知して音を発生する音発生装置を備える衛生洗浄装置において、使用者が不快を催さない音発生方法を得る。【解決手段】便所の使用を検出する人体検出手段と、音発生装置を有し、前記人体検出手段が使用者の存在を検出したときに前記音発生装置により音を発生させる衛生洗浄装置において、前記音発生手段の音量は前回便所の使用時に設定した音量設定値にかかわらず、発生開始時の音量を一定音量値とすることを特徴とした衛生洗浄装置とした。【選択図】　図４
2004116122.tif 000002
【特許請求の範囲】
【請求項１】
便所の使用を検出する人体検出手段と、音発生装置とを有し、前記人体検出手段が使用者の存在を検出したときに前記音発生装置により音を発生させる衛生洗浄装置において、前記音発生手段の発生開始時の音量は前回便所の使用時に設定した音量設定値にかかわらず、一定音量値とすることを特徴とした衛生洗浄装置。
【請求項２】
請求項１の衛生洗浄装置において、前記一定音量値は使用者が任意に変更可能であることを特徴とした衛生洗浄装置。
【請求項３】
請求項１乃至２の衛生洗浄装置において、使用者の着座を検出する着座検出装置を持ち、前記音発生装置から音を発生中に、前記着座検出装置が使用者の着座を検出した場合は、前記音発生装置にて発音中の音量をあらかじめ定めた一定値音量だけ下げることを特徴とした衛生洗浄装置。
【請求項４】
請求項３の衛生洗浄装置において、使用者の着座を検出する着座検出装置を持ち、前記音発生装置から音を発生中に、前記着座検出装置が使用者の離座を検出した場合は、前記音発生装置にて発音中の音量をあらかじめ定めた一定値音量だけ上げることを特徴とした衛生洗浄装置。
【請求項５】
請求項３乃至４の衛生洗浄装置において、前記一定値音量は使用者が任意に変更可能であることを特徴とした衛生洗浄装置。
【請求項６】
請求項３乃至５の衛生洗浄装置において、一定値音量だけ上げる場合ないし一定値音量だけ下げる場合の夫々の動作において、あらかじめ設定された時間をかけて音量を変化させることを特徴とした衛生洗浄装置。
【発明の詳細な説明】
【０００１】
【発明の属する技術分野】
本発明は、人体の局部を洗浄する衛生洗浄装置に関する。
【０００２】
【従来の技術】
従来、衛生洗浄装置が備えている人体検出手段によって使用者が便所を使用していることを検出すると音発生装置から音の発生を開始し、前記人体検出手段によって使用者が便所の使用を終了したことを検出すると前記音発生装置から音の発生を停止し、前記音発生装置から発生する音として洗浄水の流水擬音や音楽を用いるものが知られている。（特許文献１参照）
【０００３】
【特許文献１】
特開昭６０−４３５４２号公報、第１頁
【０００４】
【発明が解決しようとする課題】
しかしながら、上記に述べたような従来の装置では、以下のような問題がある。すなわち、便所の使用者を検出した後、前記音発生装置によって音を発生させる際に、例えば前回の便所の使用者が音発生手段に装備されている音量調整装置によって設定音量を最大値もしくは最大値近くに音量を設定している場合には、使用者が便所を使用する時には使用者の存在の検知とともに最大音量で音が発生することにより使用者は驚き、狼狽し、不快感を催す場合がある。
【０００５】
また、反対に前回の使用者が前記音量調整装置によって設定音量を最小もしくは最小値近くに音量を設定している場合には、使用者が便所を使用する時に、使用者の存在の検知とともに音を発生させる必要があるが、前記音発生装置から音を発生させているにもかかわらず、音量が最小音量であるため使用者が音の発生を認知することができない場合があるという不具合があった。
【０００６】
また、使用者が便所に入った直後、前記衛生洗浄装置から比較的離れた場所にいる時は心地良い音量で音が発生しているとしても、前記音発生装置の一部を構成するスピーカーが衛生洗浄装置に具備されている場合、使用者が着座すると使用者と前記スピーカーの距離が非常に近い位置になる場合があるため、その場合は音量が大きく感じられ不快に感じるばかりか、わざわざ前記音発生装置の音量調整装置によって音量を小さく再設定しなければならないわずらわしさがある。一方、前記衛生洗浄装置に着座している状態では心地よい音量であっても、衛生洗浄装置の使用を完了して使用者が立ち上がり、便所内で身だしなみや手洗器で手を洗浄しているときには使用者と前記スピーカーの距離が比較的離れているため、その場合は音量が小さく感じられ不快に感じたり、前記音発生装置から音を発生しているにもかかわらず音が聞き取れないといった不具合があった。
【０００７】
【課題を解決するための手段】
本発明は、上記課題を解決するためになされたもので、本発明は便所の使用者を検知して音発生装置から音の発生を開始するときに前回の使用者が設定した音量値に関係なく一定音量値で音の発生を開始するので、今回の使用者が大きな音に驚いたり、小さな音で聞き取れないといった不具合を感じることがない。
【０００８】
また、着座検出手段によって使用者の着座を検出すると一定音量値だけ音量を下げるので使用者とスピーカーとの距離が近づいても適切な音量に自動的に変更するので、快適な音量で音を聞くことができる。
【０００９】
また、着座検出手段によって使用者の離座を検出すると一定音量値だけ音量を上げるので使用者とスピーカーとの距離が離れても適切な音量に自動的に変更され、快適に音を聞くことができる。
【００１０】
【発明の実施の形態】
本発明をより理解しやすくするため、以下に図を用いて詳説する。
図１は本発明の実施例に係る衛生洗浄装置の全体斜視図である。
使用者は暖房便座８に座り補助操作部（図示無し）やリモコン５０で操作を指示すると、ノズル７から洗浄水が吐水されて使用者の局部を洗浄する。局部洗浄用の洗浄水は上水道から供給された水道水が止水栓３、分岐金具２、連結ホース５を通り衛生洗浄装置内部に装備された熱交換器（図示無し）で温水に温められた後、前記ノズル７へ温水が供給され、ノズル先端から温水として吐水される。また人体検出手段１２は赤外線を利用して、前期衛生洗浄装置の使用者が暖房便座８先端付近に近づくと、使用者が人体局部洗浄装置に近付いたことを感知して、使用者が便所内に存在することを認識する。また、着座検出手段６は赤外線を利用して前記暖房便座８の略上方を検知範囲としており、使用者が前記暖房便座８に着座中である場合は、着座状態として認識する。前記衛生洗浄装置が使用者の着座状態を認識すると、脱臭ユニット（図示無し）が動作して用便中の臭いを無臭化してトイレ内を快適に保つことができる。また、前記衛生洗浄装置の側面には音発生装置操作部３０があり、音発生装置６０から音を発生させる際の音量や動作の入／切などの各種の制御指示や制御設定を行う。前記衛生洗浄装置の側面にはスピーカー１１が設置されており、前記音発生装置６０により発生させる音を実際に発生させ、洗浄水を模した流水擬音や音楽などを発する。
【００１１】
図２は本発明の実施例に係る音発生装置操作部の模式図である。
音発生装置操作部３０には人体検出手段１２や着座検出手段６に応じて動作を開始する音発生装置６０の設定を行う操作板である。例として前記人体検出手段１２によって使用者の存在を検出した場合に自動的に音発生装置６０より音楽を発生させる機能である自動音楽機能の動作を設定する自動音楽入／切スイッチ３１がある。前記自動音楽入／切スイッチ３１が入の場合は、前記人体検出手段１２により便所もしくは衛生洗浄装置の使用者の存在を検出すると自動的に音発生装置６０より音楽の演奏を開始する。また、前記人体検出手段１２により使用者の存在を検出している状態から、使用者の存在が非検出の状態になった場合には、演奏している音楽の演奏を自動的に停止する。
【００１２】
また、音を発生させる際の音量を設定するために、音量を大きくするためのスイッチとして音量ＵＰスイッチ３２、音量を小さくするためのスイッチとして音量ＤＯＷＮスイッチ３３が設けてある。これら音量ＵＰスイッチ３２や音量ＤＯＷＮスイッチ３３を押すとそれぞれのスイッチに応じて音量表示エリア３４に現在の音量が表示されるとともに、音発生装置６０から発生させる音量を調整することができる。この図示の例では、音量は７段階に設定することができ、音量を一番小さくした場合には音量最小位置表示３５が黒丸で表示される。また、音量を一番大きくした場合には音量最大位置表示３６が黒丸で表示される。また、図示の例では音量の現在位置は５番目であり、音量現在位置表示３７の黒丸で示されている音量に設定されている。
【００１３】
図３は本発明の実勢例に係る制御ブロック図である。前記衛生洗浄装置の全てのユニットを制御する制御装置がメインコントローラ５１であり、このメインコントローラ５１に音発生手段操作部９、着座検出手段６、人体検出手段１２、リモコン信号受信部１１、音発生装置６０などが接続されており、各々の信号をメインコントローラが受け取り、また制御する。リモコン５０は赤外線などの通信手段により、リモコン信号受信部１１に信号を送信すると前記リモコン信号受信部１１は受信した信号を電気信号に変換して前記メインコントローラ５１に伝達する。これにより、前記リモコン５０によって、前記メインコントローラ５１に操作命令を送信することができる。
【００１４】
前記メインコントローラは音発生装置６０と接続されており、前記音発生装置６０には音発生制御ユニット用マイコン５２、音発生部５３、増幅器５４が内蔵されており、前記増幅器５４にはスピーカー１１が接続されている。前記メインコントローラ５１が人体検出手段１２より便所の使用者の存在を検出し、認識すると、あらかじめ決めれられた手順にしたがって音の発生の判断をする。使用者の存在を認識して音を発生すべきときには前記音発生装置６０対してあらかじめ定められた音を発生するように命令信号を与える。音を発生するように命令を与えられた前記音発生装置６０は音量や音質、音の種類を音発生制御ユニット用マイコン５２で演算した後、音発生部５３より適切な音信号を発生させる。このとき前記音発生部５３より発信された信号は増幅器５４に入力され適切な音量に増幅された後、スピーカー１１より適切な音量で発音される。尚、前記音発生部５３は洗浄水を模した擬音のデジタルデータを格納した音声ＲＯＭ、音楽のデジタルデータを格納した音声ＲＯＭ、コンパクトディスクプレイヤーなどの一般的な音楽再生装置などであっても良い。
【００１５】
図４は、本発明の実施例に係わるフローチャート図である。
便所に使用者が存在しない状態を初期状態として、ステップＳ０とする。この初期状態の時をスタートとして、ステップＳ１にて前記人体検出手段１２により便所内の使用者の存在が検出されると、ステップＳ２に進み音発生手段の音量設定値を一定音量値Ｌ０に設定する。この一定音量値Ｌ０は前回の使用者が前記音発生手段の音量変更手段によって変更した音量値にかかわらない一定値であり、自動的に音を発生した場合に使用者を驚かしたり、不快に感じさせない値に設定されることが好ましい。また、請求項２に示すようにこの一定値音量は使用者が適切な値に設定することができる。通常の音量設定は音量ＵＰスイッチ３２か音量ＤＯＷＮスイッチ３３を押下げして行うが、この一定値音量は前述のように使用者を驚かしたり、不快に感じさせないような音量に設定することが必要なため、通常の設定方法とは異なる設定方法とすることが好ましい。特殊設定方法の一例を説明すると、自動音楽入／切スイッチ３１を５秒以上押下すると、音量表示エリア３４に配置されている音量の設定状態を表示するランプがすべて点灯を開始する、その状態で前記音量ＵＰスイッチ３２、前記音量ＤＯＷＮスイッチ３３を操作すると一定音量値Ｌ０を変更することができる。
【００１６】
次に、ステップＳ３で一定音量値Ｌ０を音量設定値として音の発生を開始させ、ステップＳ４にて使用者の着座を検出すると、音発生装置６０の音量をステップＳ５にて一定時間ｔ１の時間をかけて音量値Ｌ１まで減少させる。これにより、着座によって音量が自動的に一定値だけ低減されるので使用者に不快感をあたえることがない。尚、一定音量値Ｌ０と音量値Ｌ１の差はあらかじめ定めた値であってもよいが、使用者が任意に定めることもでき、使用者が好ましいと感じる値に設定することができる。
【００１７】
その後、ステップＳ６にて使用者が着座状態から離座状態に変化したことを検出するとステップＳ７にて時間ｔ２の時間をかけて音量を一定音量値Ｌ０まで復帰させる。これにより、離座によって音量が自動的に一定値だけ増大されるので使用者に不快感を与えることがない。その後、ステップＳ８にて前記人体検出手段１２によって使用者が便所からいなくなったことを検出すると、ステップＳ９にて音発生手段を停止させることにより音の発生を自動的に停止させることで一連の動作を完了し、次の使用者を待つ待機状態としてステップＳ１０にて処理を終了する。特に図示は行っていないが、人体検出装置によって通常考えられない時間、使用者が便所にいる場合には異常状態が発生したと判断して音の発生を停止してもよい。また、同様に前記着座検出手段によって通常考えられない時間、使用者が着座状態になっている場合には異常状態が発生したと判断して音の発生を停止してもよい。
【００１８】
図５は、本発明の実施例に係わる、音発生時一定音量で開始する様子を示すタイムチャートである。人体検出手段による人体検出状態によって音発生装置６０から発生する音の音量の制御方法を説明する。まず、人体検出手段によって使用者を検出している状態から、使用者の不在を検知する状態になるＰ１において、それまで使用者を検出している状態であるので音が発生しており、例として使用者によってＭＡＸで表される最大音量になっている状態となっている。このとき、Ｐ６においては、使用者が不在となっているため、音発生装置６０は発音状態から非発音状態になる。その後、Ｐ２にて人体の存在を検出すると、音発生手段はＰ７の点から音の発生を開始する。このとき、前回の使用者が音量を設定していた点Ｐ６においてＭＡＸであらされる最大音量の状態で前記音発生装置６０から音の発生を行うのではなく、使用者を驚かせない、不快を催さない音量として定めているＳＥＴで表される音量から音の発生を開始する。その後、使用者が任意に音量を変化させることができ、点Ｐ８にて使用者が音量ＵＰスイッチ３２を操作して、Ｐ９にて音量をＭＡＸで表される最大音量値に設定する様子を示している。この音声を発生する状態は人体を検出している間継続され、使用者によって設定された音量で音の発生を継続する。尚、ここでは図示していないが、使用者の検出状態が通常考えられない長期にわたって継続した場合、適切な時間をもって音の発生を停止しても良い。
【００１９】
図６は、本発明の実施例に係わる、着座検知時は音量を下げる様子を示すタイムチャートである。着座検出手段による着座検出状態によって音発生手段から発生する音の音量を制御する制御方法を説明する。まず、着座検出手段によって離座を検出している状態からＰ１０にて着座を検出すると、いままで離座状態であったときの音量Ｌ０を音量Ｌ１の状態にＰ１２からＰ１３まで時間ｔ２の時間をかけて変化させる。これにより、音の発生中に使用者が着座をするとスピーカー１１と使用者の距離が近くなるため同じ音量でも大きく聞こえて不快に感じる場合があるが、前述したように音量Ｌ１から音量Ｌ２に自動的に音量を低下さえるために使用者が不快に感じることがない。
【００２０】
図７は、本発明の実施例に係わる、着座検知時は音量を上げる様子を示すタイムチャートである。着座検出手段による着座検出状態によって音発生手段から発生する音の音量を制御する制御方法を説明する。まず、着座検出手段によって着座を検出している状態からＰ２０にて離座を検出すると、いままで着座状態であったときの音量Ｌ１を音量Ｌ０の状態にＰ２１からＰ２２まで時間ｔ３の時間をかけて変化させる。これにより、音の発生中に使用者が離座をするとスピーカー１１と使用者の距離が遠くなるため同じ音量でも小さく聞こえて音発生装置６０が用をなさない場合があるが、前述したように音量Ｌ１から音量Ｌ０に自動的に音量を増加させるために使用者が不快に感じることがない。
【００２１】
図８は、従来の実施例の様子をあらわすタイムチャートである。前回の使用者が衛生洗浄装置を使用しているときに前記音量ＵＰスイッチ３２や音量ＤＯＷＮスイッチ３３などで音量を設定し、時間Ｐ３４にて音量がＭＡＸで表されている最大音量になっている状態を示している。その後、時間Ｐ３１にて前回の使用者が便所から不在になったことを認識すると、同時刻であるＰ３５にて音発生手段からの発音を停止させる。再び、今回の使用者がＰ３２にて便所の使用を開始すると同時刻Ｐ３６にて音発生手段より音の発生を開始する。このとき、音の音量としては前回の使用者が設定したＭＡＸで表されている最大音量に設定されている。このため、使用者は便所の使用を開始すると、突然、大音量で音が鳴り始めるため不快に感じることがある。
【００２２】
【発明の効果】
以上を説明したように本発明における衛生洗浄装置は、便所の使用者を検知して音発生装置６０から音の発生を開始するときに前回の使用者が設定した音量値に関係なく一定音量値で音の発生を開始するので、今回の使用者が大きな音に驚いたり、小さな音で聞き取れないといった不具合を感じることがない。また、着座検出手段によって使用者の着座を検出すると一定音量値だけ音量を下げるので使用者とスピーカーとの距離が近づいても適切な音量に自動的に変更するので、快適な音量で音を聞くことができる。また、着座検出手段によって使用者の離座を検出すると一定音量値だけ音量を上げるので使用者とスピーカーとの距離が離れても適切な音量に自動的に変更するので、快適に音を聞くことができる。上述のごとく、本発明は使用者の状態によって音発生装置から発する音の音量を適切に調整するので便所に快適な音空間を現出させることができる。
【図面の簡単な説明】
【図１】本発明の実施例に係る衛生洗浄装置の全体斜視図
【図２】本発明の実施例に係る音発生手段操作部の模式図
【図３】本発明の実勢例に係る制御ブロック図
【図４】本発明の実施例に係わるフローチャート図
【図５】本発明の実施例に係わる、音発生時一定音量で開始する様子を示すタイムチャート
【図６】本発明の実施例に係わる、着座検知時は音量を下げる様子を示すタイムチャート
【図７】本発明の実施例に係わる、着座検知時は音量を上げる様子を示すタイムチャート
【図８】従来の実施例の様子をあらわすタイムチャート
【符号の説明】
１　漏電保護プラグ
２　分岐金具
３　止水栓
４　アース線
５　連結ホース
６　着座検出手段
７　ノズル
８　暖房便座
９　音発生手段操作部
１０　便フタ
１１　スピーカー
１２　人体検出手段
１３　リモコン信号受信部
３０　音発生装置操作部
３１　自動音楽入／切スイッチ
３２　音量ＵＰスイッチ
３３　音量ＤＯＷＮスイッチ
３４　音量表示エリア
３５　音量最小位置表示
３６　音量最大位置表示
３７　音量現在位置表示
５０　リモコン
５１　メインコントローラ
５２　音発生制御ユニット用マイコン
５３　音発生部
５４　増幅器
６０　音発生装置
Ｐ１　前回の使用者が便所の使用を終了した
Ｐ２　今回の使用者が便所の使用を開始した
Ｐ４　音量変更点１
Ｐ５　音量変更点２
Ｐ６　発音切点
Ｐ７　発音開始点
Ｐ８　音量変更点３
Ｐ９　音量変更点４
Ｐ１０　着座検知点
Ｐ１１　着座検知状態
Ｐ１２　音量変更開始点
Ｐ１３　音量変更終了点
Ｐ２０　離座検知点
Ｐ２１　音量変更開始点
Ｐ２２　音量変更終了点
Ｐ３１　前回の使用者が便所の使用を終了した
Ｐ３２　今回の使用者が便所の使用を開始した
Ｐ３３　音量変更点１
Ｐ３４　音量変更点２
Ｐ３５　発音停止点
Ｐ３６　発音開始点
【図１】
2004116122.tif 000003
【図２】
2004116122.tif 000004
【図３】
2004116122.tif 000005
【図４】
2004116122.tif 000006
【図５】
2004116122.tif 000007
【図６】
2004116122.tif 000008
【図７】
2004116122.tif 000009
【図８】
2004116122.tif 000010